(57)【特許請求の範囲】
【請求項１】
垂直同期信号に応じたリセット信号によりリセットされると共に、水平同期信号に応じたクロック信号を分周し複数の分周出力信号及び第１の垂直同期パルスを発生する分周回路を含む第１の垂直カウントダウン回路と、
前記リセット信号の位相をシフトさせる１つの移相回路と、
前記移相回路により位相がシフトされたリセット信号に応じてリセットされ、前記水平同期信号に応じたクロック信号を分周し垂直ブランキングパルス及びＡＧＣパルスを含む複数の分周出力信号及び第２の垂直同期パルスを発生する第２の垂直カウントダウン回路とを備えることを特徴とする偏向回路。
【請求項２】
垂直偏向回路と、前記第１の垂直同期パルス又は前記第２の垂直同期パルスを前記垂直偏向回路に印加するスイッチとを備え、前記垂直偏向回路は、前記スイッチを介して印加された前記第１の垂直同期パルス又は前記第２の垂直同期パルスに基づき、ブラウン管の垂直偏向コイルを駆動する垂直ランプ信号を作成することを特徴とする請求項１に記載の偏向回路。
【請求項３】
前記第１の垂直カウントダウン回路は、前記分周回路により発生された複数の分周出力信号を用いて前記リセット信号を作成するリセット信号発生回路を備えることを特徴とする請求項１又は２に記載の偏向回路。
【発明の詳細な説明】
【０００１】
【発明の属する技術分野】
本発明は、テレビジョン受像機などに使われる垂直偏向回路に関するものであり、特にテレビ画面上の縦方向の画像位置を調整する垂直偏向回路に関する。
【０００２】
【従来の技術】
テレビジョン受像機に使われる偏向回路には、映像信号から同期分離された水平同期信号及び垂直同期信号が印加される。水平偏向回路は、この水平同期信号に基づき水平出力パルスを作成し、垂直偏向回路は、この垂直同期信号に基づき垂直ランプ信号を作成し、最終的に水平及び垂直偏向コイルをドライブする。
【０００３】
図２は、テレビジョン受像機に使われる偏向回路を示す。図２の入力端子（１）からの水平同期信号は、位相比較回路（２）、ＬＰＦ（３）、ＶＣＯ（電圧制御発振器）（４）、及び水平カウントダウン回路（５）から構成される水平ＡＦＣ回路（６）に印加される。水平カウントダウン回路（５）は、複数のＴ型フリップフロップなどが直列に接続された構成であり、入力信号の分周を行うとともに前記Ｔ型フリップフロップの出力段を選ぶことにより所望の周波数の信号が得られる。
【０００４】
いま、水平カウントダウン回路（５）から周波数fH（水平同期信号周波数）の信号が位相比較回路（２）に印加されているとする。この位相比較回路（２）によって両信号の比較が行われ、その位相差に応じた電流がＬＰＦ（３）で平滑される。この平滑された直流電圧に応じてＶＣＯ（４）の周波数及び位相が調整される。そのため、周波数及び位相が入力端子（１）からの水平同期信号に同期した信号が水平カウントダウン回路（５）に印加される。
【０００５】
水平カウントダウン回路（５）は、水平偏向用のパルスを水平偏向回路（７）に印加する。また、水平カウントダウン回路（５）は周波数２fHの垂直カウントダウン用のクロック信号を垂直カウントダウン回路（８）に印加する。水平偏向回路（７）は、水平出力パルスを作成し、ブラウン管（９）の水平偏向コイル（１０）をドライブする。
【０００６】
一方、周波数２fHのクロック信号は、垂直カウントダウン回路（８）で分周され、２６２．５Ｈ（Ｈは１水平同期信号周期）周期の垂直同期パルスに変換される。垂直カウントダウン回路（８）は、端子（１１）からの垂直同期信号によりカウント動作を行うので、出力される複数の分周出力信号のタイミングは、垂直同期信号のそれに一致する。
【０００７】
垂直カウントダウン回路（８）からの複数の分周出力信号としてはa:垂直ブランキングパルス、b:ＡＧＣ（自動利得制御）パルスc:EW(画面横方向)パラボラタイミングパルスなどがある。
【０００８】
垂直カウントダウン回路（８）からの垂直同期パルスは、垂直偏向回路（１２）で増幅され垂直ランプ信号としてブラウン管（９）の垂直偏向コイル（１３）を駆動する。
【０００９】
【発明が解決しようとする課題】
ところで、テレビ画面上の縦方向の画像位置を調整する垂直シフトという機能がある。テレビ画面の垂直シフトを行うのには、垂直ランプ信号の位相をシフトさせることにより行う。これにより、ＴＶセットの生産ラインでの画面位置の最終調整が可能となる。
【００１０】
しかしながら、垂直シフトを正しく行うためには、垂直ランプ信号の位相をシフトさせるだけでなく、垂直ブランキングパルス、ＡＧＣ（自動利得制御）パルス、EWパラボラタイミングパルス等も同時にシフトする必要がある。従来は、これらのパルスを個別にシフトさせていたため、移相回路が複数個、必要となり素子数が増加してしまうという欠点があった。
【００１１】
【課題を解決するための手段】
本発明の偏向回路は、上述した従来技術の課題に鑑みてなされたものであり、垂直同期信号に応じたリセット信号によりリセットされると共に、水平同期信号に応じたクロック信号を分周し複数の分周出力信号及び第１の垂直同期パルスを発生する分周回路を含む第１の垂直カウントダウン回路と、前記リセット信号の位相をシフトさせる１つの移相回路と、前記移相回路により位相がシフトされたリセット信号に応じてリセットされ、前記水平同期信号に応じたクロック信号を分周し垂直ブランキングパルス及びＡＧＣパルスを含む複数の分周出力信号及び第２の垂直同期パルスを発生する第２の垂直カウントダウン回路とを備えることを特徴とする。
【００１４】
【発明の実施の形態】
次に、本発明の実施形態について、図面を参照しながら説明する。図１は、本発明の実施形態に係る偏向回路の回路図である。なお、図１において、図２と同一の回路については同一の符号を付し、説明を省略する。
【００１５】
（２０）は第１の垂直カウントダウン回路、（２１）は第１の垂直カウントダウン回路（２０）からのリセット信号の移相を行うシフト回路である。
【００１６】
また、（２２）はシフト回路（移相回路）（２１）の出力信号がリセット信号として印加され、水平カウントダウン回路（５）等などで作成されるクロック信号を分周して、垂直ブランキングパルス、ＡＧＣ（自動利得制御）パルス、EWパラボラタイミングパルスなどを作成する第２の垂直カウントダウン回路である。
【００１７】
（２３）は第１の垂直カウントダウン回路（２０）からの垂直同期パルス又は第２の垂直カウントダウン回路（２２）からの垂直同期パルスを垂直偏向回路（１２）に印加するスイッチである。
【００１８】
図１でも図２の場合と同様に、入力端子（１）からの水平同期信号は、位相比較回路（２）、ＬＰＦ（３）、ＶＣＯ（４）、及び水平カウントダウン回路（５）から構成される水平ＡＦＣ回路（６）に印加される。水平カウントダウン回路（５）は、入力信号の分周を行うとともに前記Ｔ型フリップフロップの出力段を選ぶことにより所望の周波数の信号が得られる。
【００１９】
いま、水平カウントダウン回路（５）から周波数fHの信号が位相比較回路（２）に印加されているとする。すると、位相比較回路（２）において、両信号の比較が行われ、その位相差に応じた電流がＬＰＦ（３）で平滑される。この平滑された直流電圧に応じてＶＣＯ（４）の周波数及び位相が調整される。そのため、周波数及び位相が入力端子（１）からの水平同期信号に同期した信号が水平カウントダウン回路（５）に印加される。
【００２０】
水平カウントダウン回路（５）は、水平偏向用のパルスを水平偏向回路（７）に、周波数２fHの垂直カウントダウン用のクロック信号を第１の垂直カウントダウン回路（２０）に印加する。水平偏向回路（７）は、水平出力パルスを作成し、ブラウン管（９）の水平偏向コイル（１０）をドライブする。
【００２１】
図３は図１の第１の垂直カウントダウン回路（２０）の内部ブロックを示す。図３の端子（３０）には垂直同期信号が印加されスイッチ（３１）を介して分周回路（３２）のリセット端子Ｒに印加される。分周回路（３２）のクロック端子ＣＫには端子（３３）から周波数２fHの垂直カウントダウン用のクロック信号が印加され垂直周期の垂直同期パルスが端子（３４）に発生する。
【００２２】
第１の垂直カウントダウン回路（２０）は、自己リセット機能を有しており、外部からの垂直同期信号が安定して入力されると自分自身でリセットをかけるように働く。例えば分周回路（３２）の分周出力信号Ｑ１、Ｑ２、及びＱ３（３つでなくともよい）を用いて内部リセットパルス発生回路（３５）により内部リセットパルスを作成する。この内部リセットパルスをスイッチ（３１）を介して分周回路（３２）のリセット端子Ｒに印加する。これにより、分周回路（３２）は自己リセット状態を継続する。本発明ではこの時のリセット端子Ｒに印加されるリセットパルスを別途設けた第２の垂直カウントダウン回路（２２）に印加し、垂直ブランキングパルス、ＡＧＣ（自動利得制御）パルス、EWパラボラタイミングパルスなどを作成している。
【００２３】
即ち、図１の第１の垂直カウントダウン回路（２０）から発生するリセット信号（パルス）は、シフト回路（２１）でシフトされてから第２の垂直カウントダウン回路（２２）のリセット端子に印加される。第２の垂直カウントダウン回路（２２）は、第１の垂直カウントダウン回路（２０）と同様に端子（４０）からのクロック信号（周波数２fHの垂直カウントダウン用のクロック信号でもよい）を分周して複数の分周出力信号を発生する。ここで、シフト回路（２１）での移相量を調整すれば、所望のタイミングで同一の移相量の垂直同期パルス、垂直ブランキングパルス、ＡＧＣ（自動利得制御）パルス、及びEWパラボラタイミングパルスが得られる。垂直同期パルスは、スイッチ（２３）を介して垂直偏向回路（１２）に印加される。
【００２４】
図４は、本発明による垂直ランプ信号の垂直出力シフトを示す波形図である。図４（a）は、垂直同期信号を示し図４（b）は、垂直同期信号に基づき作成された垂直ランプ信号の波形である。テレビ画面上の縦方向の画像位置を調整するには、この垂直ランプ信号の波形を前後にずらせばよい。図１のシフト回路（２１）によれば、図４（b）の波形は図４（c）に遅らせることができる。これにより、テレビ画面上の縦方向の画像位置が調整され、これに伴い同じ量だけ移相させる必要のある垂直ブランキングパルス、ＡＧＣパルス、及びEWパラボラタイミングパルスも全く同じ量の位相シフトが行われる。
【００２５】
【発明の効果】
本発明の垂直偏向回路によれば、第１の垂直カウントダウン回路に内蔵される分周回路をリセットするリセットパルスの位相を変化させる移相回路と、その移相回路の出力信号に応じてリセットされ、クロック信号を分周し、複数の分周出力信号を発生する第２の垂直カウントダウン回路とを備えているので、垂直シフトによりテレビ画面上の縦方向の画像位置を調整する際に、垂直同期パルスと同じ量だけ位相シフトさせる必要のある垂直ブランキングパルス、ＡＧＣパルス、及びEWパラボラタイミングパルスを１つの移相回路で全て位相シフトさせることができる。このため、少ない素子数でテレビ画面の画像位置を調整できる。
【図面の簡単な説明】
【図１】本発明の実施形態に係る偏向回路の回路図である。
【図２】従来例に係る偏向回路の回路図である。
【図３】本発明の第１の垂直カウントダウン回路の内部ブロックを示す回路図である。
【図４】本発明による垂直ランプ信号の垂直シフトを示す波形図である。
【符号の説明】
１    入力端子
２    位相比較回路
３    ＬＰＦ
４    ＶＣＯ
５    水平カウントダウン回路
６    水平ＡＦＣ回路
７    水平偏向回路
９    ブラウン管
１０  水平偏向コイル
２０  第１の垂直カウントダウン回路
２１  シフト回路
２２  第２の垂直カウントダウン回路
【図１】
0004540246.tif 000002
【図２】
0004540246.tif 000003
【図３】
0004540246.tif 000004
【図４】
0004540246.tif 000005